【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
メールサーバを経由する通信方法と、メールサーバを経由しない通信方法のどちらかを選択して、電子メールをネットワーク経由で受信装置へ送信する送信装置であって、
電子メールを生成する生成手段と、
前記電子メールと、その電子メールに対する送達確認結果の返答方法を特定するための情報であって、前記選択の結果に応じた情報とを前記受信装置に送信する送信手段と、
前記返答方法を特定するための情報に従って前記受信装置が送信した、前記送信手段で送信した電子メールに対する送達確認結果を受信する受信手段と
を備えることを特徴とする送信装置。
【請求項２】
前記送信手段は、前記送達確認結果の返答方法を特定するための情報を、予め定められた通信プロトコルの情報の１つとして、前記受信装置にメールサーバを経由しないで送信する
ことを特徴とする請求項１に記載の送信装置。
【請求項３】
メールサーバを経由する通信方法と、メールサーバを経由しない通信方法のどちらかで、電子メールをネットワーク経由で送信装置から受信する受信装置であって、
前記電子メールと、その電子メールに対する送達確認結果の返答方法を特定するための情報とを前記送信装置から受信する受信手段と、
前記送達確認結果の返答方法を特定するための情報に基づいて、前記電子メールに対する送達確認結果を、前記メールサーバを経由させずに送信する送信手段と
を備えることを特徴とする受信装置。
【請求項４】
前記受信手段は、前記送達確認結果の返答方法を特定するための情報を、予め定められた通信プロトコルの情報の１つとして、前記送信装置からメールサーバを経由しないで受信する
ことを特徴とする請求項３に記載の受信装置。
【請求項５】
前記送信手段は、前記送達確認結果の返答方法を特定するための情報が「メールサーバを経由しない」に設定されている場合、前記電子メールに記述されている返答先情報が示す返答先へ、前記送達確認結果を、メールサーバを経由させずに送信する
ことを特徴とする請求項３または４に記載の受信装置。
【請求項６】
さらに、
前記電子メールの内容を解析する解析手段と、
前記解析手段の解析の結果、前記電子メールに対する送達確認結果の返答先情報が記述されている場合、前記送達確認結果を生成する生成手段と
を備え、
前記送信手段は、前記生成手段で生成した前記送達確認結果を送信する
ことを特徴とする請求項３乃至５のいずれか１項に記載の受信装置。
【請求項７】
メールサーバを経由する通信方法と、メールサーバを経由しない通信方法のどちらかを用いて、送信装置と受信装置間でネットワークを介して電子メールの送受信を行う通信システムであって、
前記送信装置は、
電子メールを生成する生成手段と、
前記電子メールと、その電子メールに対する送達確認結果の返答方法を特定するための情報であって、前記メールサーバを経由するか否かに応じて決定される情報とを前記受信装置に送信する第１送信手段とを備え、
前記受信装置は、
前記第１送信手段が送信した電子メールと、その電子メールに対する送達確認結果の返答方法を特定するための情報とを受信する第１受信手段と、
前記送達確認結果の返答方法を特定するための情報に基づいて、前記電子メールに対する送達確認結果を、前記メールサーバを経由させずに送信する第２送信手段とを備え、
前記送信装置は、さらに、
前記第２送信手段が送信した送達確認結果を、前記メールサーバを経由させずに受信する第２受信手段を備える
ことを特徴とする通信システム。
【請求項８】
メールサーバを経由する通信方法と、メールサーバを経由しない通信方法のどちらかを選択して、電子メールをネットワーク経由で受信装置へ送信する送信装置の制御方法であって、
電子メールを生成する生成工程と、
前記電子メールと、その電子メールに対する送達確認結果の返答方法を特定するための情報であって、前記選択の結果に応じた情報とを前記受信装置に送信する送信工程と、
前記返答方法を特定するための情報に従って前記受信装置が送信した、前記送信工程で送信した電子メールに対する送達確認結果を受信する受信工程と
を備えることを特徴とする送信装置の制御方法。
【請求項９】
メールサーバを経由する通信方法と、メールサーバを経由しない通信方法のどちらかで、電子メールをネットワーク経由で送信装置から受信する受信装置の制御方法であって、
前記電子メールと、その電子メールに対する送達確認結果の返答方法を特定するための情報とを前記送信装置から受信する受信工程と、
前記送達確認結果の返答方法を特定するための情報に基づいて、前記電子メールに対する送達確認結果を、前記メールサーバを経由させずに送信する送信工程と
を備えることを特徴とする受信装置の制御方法。
【請求項１０】
メールサーバを経由する通信方法と、メールサーバを経由しない通信方法のどちらかを選択して、電子メールをネットワーク経由で受信装置へ送信する送信装置の制御をコンピュータに実行させるためのプログラムであって、
電子メールを生成する生成工程と、
前記電子メールと、その電子メールに対する送達確認結果の返答方法を特定するための情報であって、前記選択の結果に応じた情報とを前記受信装置に送信する送信工程と、
前記返答方法を特定するための情報に従って前記受信装置が送信した、前記送信工程で送信した電子メールに対する送達確認結果を受信する受信工程と
をコンピュータに実行させることを特徴とするプログラム。
【請求項１１】
メールサーバを経由する通信方法と、メールサーバを経由しない通信方法のどちらかで、電子メールをネットワーク経由で送信装置から受信する受信装置の制御をコンピュータに実行させることを特徴とするプログラムであって、
前記電子メールと、その電子メールに対する送達確認結果の返答方法を特定するための情報とを前記送信装置から受信する受信工程と、
前記送達確認結果の返答方法を特定するための情報に基づいて、前記電子メールに対する送達確認結果を、前記メールサーバを経由させずに送信する送信工程と
をコンピュータに実行させることを特徴とするプログラム。
【手続補正２】
【補正対象書類名】明細書
【補正対象項目名】００１５
【補正方法】変更
【補正の内容】
【００１５】
上記の目的を達成するための本発明による送信装置は以下の構成を備える。即ち、
メールサーバを経由する通信方法と、メールサーバを経由しない通信方法のどちらかを選択して、電子メールをネットワーク経由で受信装置へ送信する送信装置であって、
電子メールを生成する生成手段と、
前記電子メールと、その電子メールに対する送達確認結果の返答方法を特定するための情報であって、前記選択の結果に応じた情報とを前記受信装置に送信する送信手段と、
前記返答方法を特定するための情報に従って前記受信装置が送信した、前記送信手段で送信した電子メールに対する送達確認結果を受信する受信手段と
を備える。
【手続補正３】
【補正対象書類名】明細書
【補正対象項目名】００１６
【補正方法】変更
【補正の内容】
【００１６】
また、好ましくは、前記送信手段は、前記送達確認結果の返答方法を特定するための情報を、予め定められた通信プロトコルの情報の１つとして、前記受信装置にメールサーバを経由しないで送信する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
上記の目的を達成するための本発明による受信装置は以下の構成を備える。即ち、
メールサーバを経由する通信方法と、メールサーバを経由しない通信方法のどちらかで、電子メールをネットワーク経由で送信装置から受信する受信装置であって、
前記電子メールと、その電子メールに対する送達確認結果の返答方法を特定するための情報とを前記送信装置から受信する受信手段と、
前記送達確認結果の返答方法を特定するための情報に基づいて、前記電子メールに対する送達確認結果を、前記メールサーバを経由させずに送信する送信手段と
を備える。
【手続補正６】
【補正対象書類名】明細書
【補正対象項目名】００１９
【補正方法】変更
【補正の内容】
【００１９】
また、好ましくは、前記受信手段は、前記送達確認結果の返答方法を特定するための情報を、予め定められた通信プロトコルの情報の１つとして、前記送信装置からメールサーバを経由しないで受信する。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
また、好ましくは、前記送信手段は、前記送達確認結果の返答方法を特定するための情報が「メールサーバを経由しない」に設定されている場合、前記電子メールに記述されている返答先情報が示す返答先へ、前記送達確認結果を、メールサーバを経由させずに送信する。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
また、好ましくは、さらに、
前記電子メールの内容を解析する解析手段と、
前記解析手段の解析の結果、前記電子メールに対する送達確認結果の返答先情報が記述されている場合、前記送達確認結果を生成する生成手段と
を備え、
前記送信手段は、前記生成手段で生成した前記送達確認結果を送信する。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
上記の目的を達成するための本発明による通信システムは以下の構成を備える。即ち、  メールサーバを経由する通信方法と、メールサーバを経由しない通信方法のどちらかを用いて、送信装置と受信装置間でネットワークを介して電子メールの送受信を行う通信システムであって、
前記送信装置は、
電子メールを生成する生成手段と、
前記電子メールと、その電子メールに対する送達確認結果の返答方法を特定するための情報であって、前記メールサーバを経由するか否かに応じて決定される情報とを前記受信装置に送信する第１送信手段とを備え、
前記受信装置は、
前記第１送信手段が送信した電子メールと、その電子メールに対する送達確認結果の返答方法を特定するための情報とを受信する第１受信手段と、
前記送達確認結果の返答方法を特定するための情報に基づいて、前記電子メールに対する送達確認結果を、前記メールサーバを経由させずに送信する第２送信手段とを備え、
前記送信装置は、さらに、
前記第２送信手段が送信した送達確認結果を、前記メールサーバを経由させずに受信する第２受信手段を備える。
【手続補正１４】
【補正対象書類名】明細書
【補正対象項目名】００２７
【補正方法】変更
【補正の内容】
【００２７】
上記の目的を達成するための本発明による送信装置の制御方法は以下の構成を備える。即ち、
メールサーバを経由する通信方法と、メールサーバを経由しない通信方法のどちらかを選択して、電子メールをネットワーク経由で受信装置へ送信する送信装置の制御方法であって、
電子メールを生成する生成工程と、
前記電子メールと、その電子メールに対する送達確認結果の返答方法を特定するための情報であって、前記選択の結果に応じた情報とを前記受信装置に送信する送信工程と、
前記返答方法を特定するための情報に従って前記受信装置が送信した、前記送信工程で送信した電子メールに対する送達確認結果を受信する受信工程と
を備える。
【手続補正１５】
【補正対象書類名】明細書
【補正対象項目名】００２８
【補正方法】変更
【補正の内容】
【００２８】
上記の目的を達成するための本発明による受信装置の制御方法は以下の構成を備える。即ち、
メールサーバを経由する通信方法と、メールサーバを経由しない通信方法のどちらかで、電子メールをネットワーク経由で送信装置から受信する受信装置の制御方法であって、
前記電子メールと、その電子メールに対する送達確認結果の返答方法を特定するための情報とを前記送信装置から受信する受信工程と、
前記送達確認結果の返答方法を特定するための情報に基づいて、前記電子メールに対する送達確認結果を、前記メールサーバを経由させずに送信する送信工程と
を備える。
【手続補正１６】
【補正対象書類名】明細書
【補正対象項目名】００２９
【補正方法】変更
【補正の内容】
【００２９】
上記の目的を達成するための本発明によるプログラムは以下の構成を備える。即ち、
メールサーバを経由する通信方法と、メールサーバを経由しない通信方法のどちらかを選択して、電子メールをネットワーク経由で受信装置へ送信する送信装置の制御をコンピュータに実行させるためのプログラムであって、
電子メールを生成する生成工程と、
前記電子メールと、その電子メールに対する送達確認結果の返答方法を特定するための情報であって、前記選択の結果に応じた情報とを前記受信装置に送信する送信工程と、
前記返答方法を特定するための情報に従って前記受信装置が送信した、前記送信工程で送信した電子メールに対する送達確認結果を受信する受信工程と
をコンピュータに実行させることを特徴とする。
【手続補正１７】
【補正対象書類名】明細書
【補正対象項目名】００３０
【補正方法】変更
【補正の内容】
【００３０】
上記の目的を達成するための本発明によるプログラムは以下の構成を備える。即ち、
メールサーバを経由する通信方法と、メールサーバを経由しない通信方法のどちらかで、電子メールをネットワーク経由で送信装置から受信する受信装置の制御をコンピュータに実行させることを特徴とするプログラムであって、
前記電子メールと、その電子メールに対する送達確認結果の返答方法を特定するための情報とを前記送信装置から受信する受信工程と、
前記送達確認結果の返答方法を特定するための情報に基づいて、前記電子メールに対する送達確認結果を、前記メールサーバを経由させずに送信する送信工程と
をコンピュータに実行させることを特徴とする。